(57)【要約】【課題】電源装置の電源容量の増大を抑えながら、消費電力が大きい負荷に対して容易に対応することができる遊技機を提供する。【解決手段】電源装置１０は、被制御機器用直流電力を表示制御装置２０を介して表示装置３０に出力するとともに、賞球制御装置６０を介して賞球装置７０に出力する。電源装置１０と表示制御装置２０には電力蓄積手段１３と２２が設けられている。【選択図】        図１
2004188008.tif 000002
【特許請求の範囲】
【請求項１】
被制御機器と、遊技の進行に基づいて被制御機器を制御する被制御機器制御装置と、被制御機器用直流電力を出力する電源装置とを備え、少なくとも１つの被制御機器制御装置は、入力された被制御機器用直流電力を被制御機器に出力する、遊技機。
【発明の詳細な説明】
【０００１】
【発明の属する技術分野】
本発明は、遊技機に関する。特に、遊技機に設けられている被制御機器等に電力を供給する技術に関する。
【０００２】
【従来の技術】
遊技機であるパチンコ機には、パチンコ機全体の動作を制御するためのコマンド信号を制御装置に出力する主制御装置、主制御装置から出力されるコマンド信号に基づいて被制御機器を制御する制御装置、制御装置により制御される被制御機器、主制御装置、制御装置や被制御機器等のための直流電力を出力する電源装置等が設けられている。制御装置としては、賞球制御装置、表示制御装置、音制御装置、ランプ制御装置等が用いられる。また、被制御機器としては、賞球制御装置により制御される賞球装置、表示制御装置により制御される液晶表示装置等の表示装置、音制御装置により制御されるスピーカ、ランプ制御装置により制御されるランプ等が用いられる。通常、主制御装置、賞球制御装置、表示制御装置、音制御装置やランプ制御装置等の制御装置、電源装置等は、基板として構成される。
電源装置は、例えば、交流電力を直流電力に変換する整流回路と平滑用コンデンサにより構成される。
従来のパチンコ機では、電源装置の電源容量を、被制御機器の総消費電力等に応じて設定している（総消費電力に応じた容量の整流回路及び平滑用コンデンサを使用している）。（特許文献１参照）
【０００３】
【特許文献１】
実公平６−３６８５０号公報
【０００４】
従来のパチンコ機の概略構成図を図４に示す。
図４に示すパチンコ機は、主制御装置（図示省略）、表示制御装置１２０や賞球制御装置１６０等の制御装置、表示装置１３０や賞球装置１７０等の被制御機器、主制御装置、制御装置や被制御機器等のための直流電力を出力する電源装置１１０等が設けられている。
電源装置１１０は、商用電源からの交流電力を降圧して得た交流電力を直流電力に変換する整流回路１１２、整流回路１１２により変換された直流電力を平滑する平滑用コンデンサ１１３等により構成されている。電源装置１０は、例えば、被制御機器のための３４Ｖの被制御機器用直流電力を出力する。電源装置１１０からの被制御機器用直流電力は、表示制御装置１２０や賞球制御装置１６０等を介して表示装置１３０や賞球装置１７０等に出力される。表示装置１３０の駆動回路１４０に入力された被制御機器用直流電力は、ＤＣ／ＤＣ変換回路（インバータ）１４２で昇圧されて表示部１５０に供給される。また、賞球装置１７０に入力される被制御機器用直流電力は、賞球用モータ１７２に供給される。
電源装置１１０の整流回路１１２（ダイオード）や平滑用コンデンサ１１３の容量は、表示装置１３０や賞球装置１７０等の被制御機器の総消費電力に対応する容量のものが使用されている。
【０００５】
【発明が解決しようとする課題】
従来の遊技機では、電源装置１１０の電源容量（整流回路１１２や平滑用ダイオード１１３等の容量）を、被制御機器の消費電力等に応じて設定している。
ここで、被制御機器の種類や数等は遊技機の機種によって異なるため、将来的に電源装置１１０の電源容量としてどのくらい必要となるかを予測するのが困難である。また、電源装置１１０は、機種の変更に関係なく共通に使用されることが多い。このため、従来の遊技機では、十分に大きい電源容量を有する電源装置１１０を使用している。
しかしながら、電源装置１１０の電源容量（特に、平滑用コンデンサ１１３の容量）が大きいと、サイズが大きくコストも高くなる。さらに、従来タイプの消費電力が小さい表示装置やパワーアンプ等を使用しているパチンコ機も多く存在している。
そこで、本発明は、電源装置の電源容量の増大を抑えながら、消費電力が大きい負荷に対して容易に対応することができる遊技機を提供することを目的とする。
【０００６】
【課題を解決するための手段】
前記課題を解決するための本発明の第１発明は、請求項１に記載されたとおりの遊技機である。
請求項１に記載の遊技機では、少なくとも１つの被制御機器制御装置は、入力された被制御機器用直流電力を被制御機器に出力する。これにより、被制御機器制御装置は、被制御機器の消費電力に応じた電力を被制御機器に出力することができるため、消費電力の大きい被制御機器に対して容易に対応することができるとともに、電源装置の電源容量を低減することができる。
【０００７】
【発明の実施の形態】
以下に、本発明の実施の形態を図面を参照して説明する。
図１は、本発明の第１の実施の形態の概略構成図である。本実施の形態は、本発明をパチンコ機に適用したものである。
本実施の形態のパチンコ機は、電源装置１０、主制御装置（図示省略）、表示制御装置２０や賞球制御装置４０等の制御装置、表示装置３０や賞球装置４７等の被制御機器等により構成されている。
なお、主制御装置は、被制御機器を制御するためのコマンド信号を表示制御装置や賞球制御装置等に出力する。したがって、本明細書では、「被制御機器制御装置」という記載は、表示制御装置や賞球制御装置等の制御装置だけでなく主制御装置も含んでいる。また、本明細書では、被制御機器を直接制御する表示制御装置や賞球制御装置等の制御装置のみを示す場合には、「制御装置」という記載を用いている。
図１には示されていないが、パチンコ機には、これ以外の種々の被制御機器や制御装置が設けられる。例えば、演出を行うランプやスピーカ、遊技者に有利な特別遊技状態を発生させる特別入賞口を開閉する開閉部材等の被制御機器や、ランプを制御するランプ制御装置、スピーカを制御する音制御装置、開閉部材を駆動する開閉部材駆動装置等の制御装置が設けられる。
【０００８】
電源装置１０は、例えば、商用電源を降圧して得た交流電力を被制御機器制御装置や被制御機器のための所定電圧（例えば、５Ｖ、１２Ｖ、３４Ｖ等）の直流電力に変換する交流直流変換回路（電源回路）、交流直流変換回路で変換された直流電力を平滑する平滑用コンデンサ等を有している。
電源装置１０は、通常、交流直流変換回路や平滑用コンデンサ等が基板上に配置された電源基板として構成される。電源基板には、例えば、交流電力が入力される交流電力入力端子、各種の直流電力を出力する複数の直流電力出力端子が設けられている。
図１には、電源装置（電源基板）１０から３４Ｖの被制御機器用直流電力を出力するための交流電力入力端子１１ａ、交流直流変換回路１２、平滑用コンデンサ１３、被制御機器用直流電力出力端子１１ｂ、１１ｃが示されている。交流直流変換回路１２は、例えば、ダイオードあるいはトランジスタ等のスイッチング素子を用いて構成することができる。
本実施の形態では、平滑用コンデンサ１３として、一般的な機種で用いられている被制御機器の総消費電力に応じた容量のコンデンサを用いている。また、交流直流整流回路１２として、容量が十分に大きい（コンデンサ１３の容量に対応する消費電力より大きい消費電力の被制御機器を用いた場合にも対応可能な容量）交流直流変換回路を用いている。
【０００９】
表示制御装置２０は、ＣＰＵ（表示制御回路）、ＲＯＭやＲＡＭ等（いずれも図示省略）を有している。表示制御装置２０は、通常、ＣＰＵ、ＲＯＭやＲＡＭ等が基板上に配置された表示制御基板として構成される。表示制御基板には、コマンド信号入力端子、制御信号出力端子、各種の直流電力のための直流電力入力端子や直流電力出力端子が設けられている。
図１には、３４Ｖの被制御機器用直流電力のための被制御機器用直流電力入力端子２１ａ、２１ｂと被制御機器用直流電力出力端子２１ｃ、２１ｄが示されている。被制御機器用直流電力入力端子２１ａ、２１ｂと被制御機器用直流電力出力端子２１ｃ、２１ｄは、配線パターン等の接続回路によって接続されている。また、本実施の形態では、一般的な機種で用いられている液晶表示部より消費電力が大きい液晶表示部５０を有する表示装置３０を使用するため、表示制御装置２０の被制御機器用直流電力入力端子２１ａと２１ｂの間に平滑用コンデンサ２２が設けられている。
平滑用コンデンサ２２の容量は、表示制御装置２０から被制御機器用直流電力を出力する被制御機器（この場合、表示装置３０）の消費電力に対して、電源装置１０に設けられている平滑用コンデンサ１３の容量では不足する容量を補う値に設定される。
すなわち、平滑用コンデンサ１３と２２によって、表示制御装置２０から被制御機器用直流電力を出力する被制御機器（この場合、表示装置３０）の消費電力に対応する電源容量を確保している。
【００１０】
表示装置３０は、駆動部４０と液晶表示部５０等により構成されている。
駆動部４０は、入力される直流電力の電圧を昇圧するＤＣ／ＤＣ変換回路（インバータ）４２等を有している。駆動部４０は、通常、ＤＣ／ＤＣ変換回路４２等が基板上に配置された駆動基板として構成される。駆動基板には、液晶表示部５０の表示を制御するための制御信号入力端子や制御信号出力端子、液晶表示部５０を作動させるための被制御機器用直流電力入力端子や作動用直流電力出力端子が設けられている。
また、表示部５０には、制御信号入力端子と作動用直流電力入力端子が設けられている。
図１には、３４Ｖの被制御機器用直流電力が入力される被制御機器用直流電力入力端子４１ａ、４１ｂ、昇圧した作動用直流電力を出力する作動用直流電力出力端子４１ｃ、４１ｄ、作動用直流電力入力端子５１ａ、５１ｂが示されている。
【００１１】
賞球制御装置６０は、ＣＰＵ（賞球制御回路）、ＲＯＭやＲＡＭ等（いずれも図示省略）を有している。賞球制御装置６０は、通常、ＣＰＵ、ＲＯＭやＲＡＭ等が基板上に配置された賞球制御基板として構成される。賞球制御基板には、コマンド信号入力端子、制御信号出力端子、各種の直流電力のための直流電力入力端子や直流電力出力端子が設けられている。
図１には、３４Ｖの被制御機器用直流電力のための、被制御機器用直流電力入力端子６１ａ、６１ｂと被制御機器用直流電力出力端子６１ｃ、６１ｄが示されている。被制御機器用直流電力入力端子６１ａ、６１ｂと被制御機器用直流電力出力端子６１ｃ、６１ｄは、配線パターン等の接続回路によって接続されている。
ところで、表示装置等の被制御機器はパチンコ機の機種変更時等に変更される可能性が高いが、賞球装置（賞球用モータ）等の被制御機器はパチンコ機の機種に関係なく共通に使用されることが多い（機種変更時等に変更される可能性が低い）。このため、本実施の形態では、電源装置１０の平滑用コンデンサ１３として、共通に使用される賞球用モータ等の消費電力を考慮した容量のものを使用しており、賞球制御装置６０には平滑用コンデンサが設けられていない。
また、パチンコ機を枠と枠に着脱可能な遊技盤とにより構成し、パチンコ機の機種変更時等に遊技盤を交換することによって対応する方法を用いることが多い。そこで、本実施の形態では、機種に関係なく共通して使用可能な電源装置や賞球制御装置等の制御装置は枠側に設け、機種変更時等に変更される可能性が高い主制御装置や表示制御装置等の制御装置は遊技盤側に設けている。これにより、機種変更等によって一般的な機種で用いられている被制御機器の消費電力より大きい消費電力を有する被制御機器を用いる場合、遊技盤を変更することによって主制御装置や消費電力が大きい被制御機器を制御する制御装置を変更することができる。
【００１２】
賞球装置７０には、賞球用モータ７２等が設けられている。また、賞球装置７０には、制御信号入力端子と被制御機器用直流電力入力端子が設けられている。
図１には、３４Ｖの被制御機器用直流電力が入力される被制御機器用直流電力入力端子７１ａ、７１ｂが示されている。
【００１３】
なお、図示していない主制御装置は、遊技球が入賞口に入賞したことを示す入賞信号や遊技球が始動口に入賞したことを示す始動信号等の入力信号や記憶回路に記憶されている制御プログラム等に基づいて、各制御装置にコマンド信号を出力する。例えば、図柄変動パターンコマンド信号や停止図柄コマンド信号を表示制御装置２０に出力し、賞球コマンド信号を賞球制御装置６０に出力する。
各制御装置は、主制御装置から出力されたコマンド信号に基づいて被制御機器を制御する。例えば、表示制御装置２０は、液晶表示部５０の図柄表示部に、図柄変動パターンコマンド信号で示される図柄変動パターンや停止図柄コマンド信号で示される停止図柄を表示する。また、賞球制御装置６０は、賞球コマンド信号で示されている数（賞球数）の遊技球を賞球装置７０から払い出す。被制御機器を制御する方法としては、例えば、被制御機器に出力する被制御機器用直流電力をオン、オフ制御する方法等が用いられる。
【００１４】
以上のように構成される電源装置１０、表示制御装置２０、表示装置３０、賞球制御装置６０、賞球装置７０等の各端子を接続する。例えば、電源装置１０の被制御機器用直流電力出力端子１１ｂ、１１ｃを表示制御装置２０及び賞球制御装置６０の被制御機器用直流電力入力端子２１ａ、２１ｂ及び６１ａ、６１ｂに接続し、表示制御装置２０及び賞球制御装置６０の被制御機器用直流電力出力端子２１ｃ、２１ｄ及び６１ｃ、６１ｄをそれぞれ表示装置３０の駆動部４０の被制御機器用直流電力入力端子４１ａ、４１ｂ及び賞球装置７０の被制御機器用直流電力入力端子７１ａ、７１ｂに接続する。
なお、電源装置１０と表示制御装置２０や賞球制御装置６０とを、中継基板を介して接続することもできる。
表示装置３０や賞球装置７０に表示制御装置２０や賞球制御装置６０から、すなわち、被制御機器を直接制御する制御装置から被制御機器用直流電力を出力することにより、被制御機器に被制御機器用直流電力を出力するための配線作業が容易であり、また、被制御機器に誤りなく被制御機器用直流電力を出力することができる。
【００１５】
本実施の形態では、表示制御装置２０が本発明の被制御機器制御装置に対応し、表示装置３０が本発明の被制御機器に対応し、電源装置１０が本発明の電源装置に対応し、平滑用コンデンサ１３が本発明の第１の電力蓄積手段に対応し、平滑用コンデンサ２２が本発明の第２の電力蓄積手段に対応する。
【００１６】
以上のように、本実施の形態では、電源装置１０に設けるコンデンサ１３として、一般的な機種に用いられる被制御機器の消費電力に対応する容量を有するコンデンサを用いている。これにより、コンデンサ１３の容量、したがって、電源装置１０の電源容量を低減することができ、電源装置１０のサイズやコストを低減することができる。
また、一般的な機種に用いられる被制御機器より消費電力が大きい被制御機器を用いる場合には、当該被制御機器に被制御機器用直流電力を出力する被制御機器制御装置に追加のコンデンサを設ける。例えば、図１に示すように、消費電力が大きい液晶表示部５０を有する表示装置３０を用いる場合には、表示制御装置２０に追加のコンデンサ２２を設ける。これにより、一般的な機種に用いられている被制御機器の消費電力より大きい消費電力の被制御機器を用いる場合に、容易に対応することができる。
【００１７】
第１の実施の形態では、被制御機器制御装置に追加のコンデンサを設けたが、被制御機器に追加のコンデンサを設けることもできる。被制御機器に追加のコンデンサを設ける第２の実施の形態を図２に示す。
本実施の形態は、第１の実施の形態と同様に、電源装置１０、主制御装置（図示省略）、表示制御装置２０や賞球制御装置６０等の制御装置、表示装置３０や賞球装置７０等の被制御機器等により構成されている。
また、第１の実施の形態と同様に、電源装置１０の平滑用コンデンサ１３として一般的な機種で用いられている被制御機器の消費電力に応じた容量のコンデンサが用いられ、交流直流整流回路１２として容量が十分に大きい交流直流変換回路が用いられている。
さらに、一般的な機種で用いられている液晶表示部より消費電力が大きい液晶表示部５０を有する表示装置３０を使用するため、表示装置３０の被制御機器用直流電力入力端子（図２では、駆動部４０の被制御機器用直流電力入力端子４１ａと４１ｂ）の間に平滑用コンデンサ４３が設けられている。
平滑用コンデンサ４３の容量は、表示装置３０の消費電力に対して、電源装置１０に設けられている平滑用コンデンサ１３の容量では不足する容量を補う値に設定される。すなわち、平滑用コンデンサ１３と４３によって、表示装置３０の消費電力に対応する電源容量を確保している。
【００１８】
本実施の形態では、表示制御装置２０が本発明の被制御機器制御装置に対応し、表示装置３０が本発明の被制御機器に対応し、電源装置１０が本発明の電源装置に対応し、平滑用コンデンサ１３が本発明の第１の電力蓄積手段に対応し、平滑用コンデンサ４３が本発明の第２の電力蓄積手段に対応する。
【００１９】
本実施の形態では、第１の実施の形態と同様に、コンデンサ１３の容量、したがって、電源装置１０の電源容量を低減することができるため、電源装置１０のサイズやコストを低減することができる。
また、一般的な機種に用いられる被制御機器より消費電力が大きい被制御機器を用いる場合には、当該被制御機器に追加のコンデンサを設ける。これにより、一般的な機種に用いられている被制御機器の消費電力より大きい消費電力の被制御機器を用いる場合に、容易に対応することができる。
【００２０】
第１の実施の形態では、被制御機器のための追加のコンデンサを、当該被制御機器より電源上流側（電源装置１０側）の直近に配置されている（直上の）被制御機器制御装置に設けた（図１では、表示装置３０のための追加のコンデンサ２２を、表示装置３０の直上の表示制御装置２０に設けている）が、被制御機器のための追加のコンデンサは、被制御機器より電源上流側（被制御機器と電源装置との間）であればよい。被制御機器のための追加のコンデンサを被制御機器の電源上流側に配置されている被制御機器制御装置の少なくとも１つに設ける本発明の第３の実施の形態を図３に示す。
本実施の形態は、電源装置１０、主制御装置８０、副制御装置９０、表示制御装置２０や賞球制御装置６０等の制御装置、ランプ９２、スピーカ９３、表示装置３０や賞球装置７０等の被制御機器等により構成されている。
前記したように、電源装置１０や賞球制御装置６０等の制御装置は、機種に関係なく共通に使用可能であるため、パチンコ機の枠側に設けられている。一方、主制御装置８０、副制御装置９０や表示制御装置２０等の制御装置は、機種変更時等に変更されることが多いため、遊技盤（パネル）側に設けられる。これにより、機種変更時に、遊技盤を変更することによって、主制御装置８０、副制御装置９０や表示制御装置２０等の制御装置も変更することができる。
また、本実施の形態では、電源装置１０に対して、主制御装置８０、副制御装置９０、表示制御装置２０等の被制御機器制御装置と表示装置３０（被制御機器）が直列（シリーズ）に接続されている。
表示制御装置２０、表示装置３０、賞球制御装置６０、賞球装置７０の構成は、第１の実施の形態と同様である。
【００２１】
主制御装置８０は、ＣＰＵ（主制御回路）、ＲＯＭやＲＡＭ等（いずれも図示省略）を有している。主制御装置８０は、通常、ＣＰＵ、ＲＯＭやＲＡＭ等が基板上に配置された主制御基板として構成される。主制御基板には、入力信号入力端子、コマンド信号出力端子、各種の直流電力のための直流電力入力端子や直流電力出力端子が設けられている。
図３には、３４Ｖの被制御機器用直流電力のための、被制御機器用直流電力入力端子８１ａ、８１ｂと被制御機器用直流電力出力端子８１ｃ、８１ｄが示されている。被制御機器用直流電力入力端子８１ａ、８１ｂと被制御機器用直流電力出力端子８１ｃ、８１ｄは、配線パターン等の接続回路によって接続されている。
主制御装置８０は、入賞信号や始動信号等の入力信号と記憶回路に記憶されている制御プログラム等に基づいて、種々のコマンド信号を制御装置に出力する。例えば、副制御装置９０へのランプコマンド信号や音コマンド信号及び表示制御装置２０への図柄変動パターンコマンド信号や停止図柄正コマンド信号等を副制御装置９０に出力し、賞球コマンド信号を賞球制御装置６０に出力する。
【００２２】
副制御装置９０は、ＣＰＵ（副制御回路）、ＲＯＭやＲＡＭ等（いずれも図示省略）を有している。副制御装置９０は、通常、ＣＰＵ、ＲＯＭやＲＡＭ等が基板上に配置された副制御基板として構成される。副制御基板には、コマンド信号入力端子、コマンド信号出力端子、制御信号出力端子、各種の直流電力のための直流電力入力端子や直流電力出力端子が設けられている。
図３には、３４Ｖの被制御機器用直流電力のための、被制御機器用直流電力入力端子９１ａ、９１ｂと被制御機器用直流電力出力端子９１ｃ、９１ｄが示されている。被制御機器用直流電力入力端子９１ａ、９１ｂと被制御機器用直流電力出力端子９１ｃ、９１ｄは、配線パターン等の接続回路によって接続されている。
副制御装置９０は、主制御装置８０か出力されたコマンド信号に基づいてランプ９２やスピーカ９３を制御する。例えば、ランプコマンド信号に基づいてランプ９２を制御し、音コマンド信号に基づいてスピーカ９３を制御する。例えば、副制御装置９０からランプ９２やスピーカ９２に出力する被制御機器用直流電力をオン、オフ制御する。
また、副制御装置９０は、下流側に配置されている制御装置へのコマンド信号を下流側に出力する。例えば、主制御装置から出力された図柄変動パターンコマンド信号や停止図柄コマンド信号を入力すると、下流側の表示制御装置２０に出力する。
なお、副制御装置８０を、ランプ制御装置と音制御装置により構成することもできる。
【００２３】
本実施の形態では、電源装置１０の平滑用コンデンサ１３として、第１の実施の形態と同様に、一般的な機種で用いられている被制御機器の消費電力に応じた容量のコンデンサが用いられ、交流直流変換回路１２として容量が十分に大きい交流直流変換回路を用いている。
さらに、一般的な機種に用いられている液晶表示部より消費電力が大きい液晶表示部５０を有する表示装置３０を用いるため、表示装置３０の電源入力側に配置されている複数の被制御機器制御装置の少なくとも１つに追加の平滑用コンデンサを設けている。図３では、表示装置３０の電源上流側に配置されている副制御装置９０の被制御機器用直流電力入力端子９１ａと９１ｂの間に平滑用コンデンサ９２を設けている。
平滑用コンデンサ９２の容量は、副制御装置９０から被制御機器用直流電力を出力する被制御機器（この場合、表示装置３０、ランプ９２、スピーカ９３）の消費電力に対して、電源装置１０に設けられている平滑用コンデンサ１３の容量では不足する容量を補う値に設定される。
すなわち、平滑用コンデンサ１３と９２によって、副制御装置９０から被制御機器用直流電力を出力する被制御機器（この場合、表示装置３０、ランプ９２、スピーカ９３）の消費電力に対応する電源容量を確保している。
【００２４】
本実施の形態では、主制御装置８０、副制御装置９０、表示制御装置２０が本発明の被制御機器制御装置に対応し、表示装置３０が本発明の被制御機器に対応し、電源装置１０が本発明の電源装置に対応し、平滑用コンデンサ１３が本発明の第１の電力蓄積手段に対応し、平滑用コンデンサ９２が本発明の第２の電力蓄積手段に対応する。
【００２５】
第３の実施の形態では、第１の実施の形態と同様に、コンデンサ１３の容量、したがって、電源装置１０の電源容量を低減することができ、電源装置１０のサイズやコストを低減することができる。
また、一般的な機種に用いられる被制御機器より消費電力が大きい被制御機器を用いる場合には、当該被制御機器より電源上流側に追加のコンデンサを設ける。これにより、一般的な機種に用いられている被制御機器の消費電力より大きい消費電力の被制御機器を用いる場合に、容易に対応することができる。この場合、被制御機器の電源上流側に複数の被制御機器制御装置が直列に配置されているため、複数の被制御機器制御装置の中から、追加のコンデンサを設置する余裕がある被制御機器制御装置を選択して追加のコンデンサを設けることができる。これにより、追加のコンデンサの設置にともなう作業が軽減される。
なお、追加のコンデンサを設ける被制御機器制御装置は、遊技盤に設けられている被制御機器制御装置の中から選択するのが好ましい。これにより、機種変更等によって一般的な機種に用いられている被制御機器より消費電力が大きい被制御機器を用いる場合に、遊技盤を変更することによって追加のコンデンサを配設することができるため、追加のコンデンサを容易に配設することができる。
また、追加のコンデンサは、被制御機器の電源上流側に配置されている複数の被制御機器制御装置に分散して設けることもできる。例えば、図３に示す、表示装置３０の電源上流側に配置されている主制御装置８０、副制御装置９０、表示制御装置２０にそれぞれコンデンサ８２、９２、２２を設ける。この場合、コンデンサ１３、８２、９２及び２２によって、表示装置３０の消費電力に対応する電源容量を確保する。勿論、被制御機器に追加のコンデンサを分散して設けることもできる（例えば、図３に示す表示装置３０にコンデンサ４３を設ける）。
【００２６】
本発明は、実施の形態で説明した構成に限定されることなく種々の変更、追加、削除が可能である。
例えば、被制御機器用直流電力としては種々の電圧の直流電力を用いることができる。
また、電源装置、被制御機器制御装置や被制御機器にコンデンサを設けたが、電力蓄積手段としてはコンデンサ以外の種々の電力蓄積手段を用いることができる。
また、消費電力が大きい表示装置を用いる場合について説明したが、本発明はスピーカや賞球用モータ等の被制御機器として消費電力が大きい被制御機器を用いる場合にも適用することができる。この場合、追加のコンデンサを配設する被制御機器や被制御機器制御装置等は、消費電力が大きい被制御機器に応じて適宜選択される。
また、制御装置及び制御装置により制御される被制御機器としては種々の制御装置及び被制御機器を用いることができる。
また、制御装置に１つの被制御機器を接続したが、複数の被制御機器を接続することもできる。
また、被制御機器制御装置や被制御機器における追加のコンデンサの配設位置は適宜選択可能である。
また、電源装置に設けるコンデンサ、被制御機器制御装置や被制御機器に設けるコンデンサの容量や数等は適宜選択可能である。
また、被制御機器は被制御機器制御装置を介して被制御機器用直流電力が入力されるように構成したが、被制御機器用制御装置を介することなく被制御機器用直流電力が入力されるように構成してもよい。
また、電源装置にコンデンサを設けたが、電源装置にコンデンサを設けることなく、被制御機器制御装置あるいは被制御機器にコンデンサを設けてもよい。
【００２７】
本発明は、以下のように構成することもできる。
例えば、「（態様１）被制御機器と、遊技の進行に基づいて被制御機器を制御する被制御機器制御装置と、被制御機器用直流電力を出力する電源装置とを備え、被制御機器制御装置は、入力された被制御機器用直流電力を被制御機器に出力する遊技機であって、電源装置は、交流電力を直流電力に変換する交流直流変換回路と、直流回路に設けられた第１の電力蓄積手段を有し、被制御機器制御装置は、入力された被制御機器用直流電力を第２の電力蓄積手段を介して出力し、第１の電力蓄積手段と第２の電力蓄積手段によって、被制御機器制御装置から被制御機器用直流電力を出力する被制御機器に必要な電源容量を確保している、遊技機。」として構成することができる。
態様１の遊技機では、被制御機器用直流電力を出力する電源装置に第１の電力蓄積手段（例えば、第１のコンデンサ）を設け、被制御機器制御装置に、当該被制御機器制御装置から被制御機器用直流電力を出力する被制御機器の消費電力に対して、第１の電力蓄積手段（例えば、第１のコンデンサ）の容量では不足する容量を補う第２の電力蓄積手段（例えば、第２のコンデンサ）を設けている。これにより、電源装置の電源容量（特に、第１の電力蓄積手段の容量）を低減することができ、電源装置のサイズやコストを低減することができる。そして、第１の電力蓄積手段の容量では不足する、消費電力の大きい被制御機器に対しては、当該被制御機器に被制御機器用直流電力を出力する被制御機器制御装置に第２の電力蓄積手段を設けることにより、容易に対応することができる。
なお、電力蓄積手段としては種々の電力蓄積手段を用いることができるが、コンデンサを用いた場合には安価に構成することができる。
また、「（態様２）被制御機器と、遊技の進行に基づいて被制御機器を制御する被制御機器制御装置と、被制御機器用直流電力を出力する電源装置とを備える遊技機であって、電源装置は、交流電力を直流電力に変換する交流直流変換回路と、直流回路に設けられた第１の電力蓄積手段を有し、被制御機器は、第２の電力蓄積手段を介して被制御機器用直流電力を入力し、第１の電力蓄積手段と第２の電力蓄積手段によって、被制御機器に必要な電源容量を確保している、遊技機。」として構成することができる。
態様２の遊技機では、被制御機器用直流電力を出力する電源装置に、第１の電力蓄積回路（例えば、第１のコンデンサ）を設け、被制御機器に、当該被制御機器の消費電力に対して第１の電力蓄積回路（例えば、第１のコンデンサ）の容量では不足する容量を補う第２の電力蓄積回路（例えば、第２のコンデンサ）を設けている。これにより、電源装置の電源容量（特に、第１の電力蓄積手段の容量）を低減することができ、電源装置のサイズやコストを低減することができる。そして、第１の電力蓄積手段（例えば、第１のコンデンサ）の容量では不足する、消費電力が大きい被制御機器に対しては、当該被制御機器に第２の電力蓄積手段（例えば、第２のコンデンサ）を設けることにより、容易に対応することができる。
また、「（態様３）態様２の遊技機であって、被制御機器は、被制御機器制御装置を介して被制御機器用直流電力が入力される遊技機。」として構成することができる。
態様３の遊技機では、被制御機器制御装置を介して被制御機器に被制御機器用直流電力を出力する。これにより、被制御機器に被制御機器用直流電力を出力するための配線作業等が容易となる。特に、被制御機器に、当該被制御機器の制御装置を介して被制御機器用直流電力を供給する場合には、被制御機器に誤りなく被制御機器用直流電力を出力することができる。
また、「（態様４）被制御機器と、遊技の進行に基づいて被制御機器を制御する被制御機器制御装置と、被制御機器用直流電力を出力する電源装置とを備え、直列に接続された複数の被制御機器制御装置を介して被制御機器用直流電力が入力される被制御機器を有する遊技機であって、電源装置は、交流電力を直流電力に変換する交流直流変換回路と、直流回路に設けられた第１の電力蓄積手段を有し、直列に接続された複数の被制御機器制御装置の少なくとも１つは、入力された被制御機器用直流電力を第２の電力蓄積手段を介して出力し、第１の電力蓄積手段と第２の電力蓄積手段によって、直列に接続された複数の被制御機器制御装置を介して被制御機器用直流電力が入力される被制御機器に必要な電源容量を確保している、遊技機。」として構成することができる。
態様４の遊技機では、被制御機器用直流電力を出力する電源装置に第１の電力蓄積手段（例えば、第１のコンデンサ）を設け、被制御機器より電源上流側（被制御機器と電源装置との間）に直列に接続されている複数の被制御機器制御装置の少なくとも１つに、当該被制御機器の消費電力に対して、第１の電力蓄積手段（例えば、第１のコンデンサ）の容量では不足する容量を補う第２の電力蓄積手段（例えば、第２のコンデンサ）を設けている。これにより、電源装置の電源容量（特に、第１の電力蓄積手段の容量）を低減することができ、電源装置のサイズやコストを低減することができる。そして、第１の電力蓄積手段の容量では不足する、消費電力が大きい被制御機器に対しては、被制御機器の電源上流側に直列に接続されている複数の被制御機器制御装置の少なくとも１つに第２の電力蓄積手段を設けることにより、容易に対応することができる。ここで、第２の電力蓄積手段は、複数の被制御機器制御装置のうち第２の電力蓄積手段を設ける余裕（例えば、スペース）がある被制御機器制御装置に設けることができるため、第２の電力蓄積手段の配設に伴う作業を軽減することができる。なお、第２の電力蓄積手段は、複数の被制御機器制御装置に分割して設けることもできる。
また、「（態様５）態様１、３または４のいずれかの遊技機であって、枠と、枠に着脱可能に設けられた遊技盤とを備え、電源装置は枠に配設され、第２の電力蓄積手段が設けられる被制御機器制御装置は遊技盤に配設されている、遊技機。」として構成することができる。
態様５の遊技機では、電源装置を枠に配設し、第２の電力蓄積手段が設けられる被制御機器制御装置を遊技盤に配設している。これにより、機種変更等によって消費電力が大きい被制御機器を使用する際に、遊技盤を交換することによって、消費電力が大きい被制御機器の消費電力に対応した容量の第２の電力蓄積手段を設けることができるため、第２の電力蓄積手段を容易に配設することができる。
【００２８】
【発明の効果】
以上説明したように、請求項１に記載の発明を用いれば、電源装置の電源容量の増大を抑えながら、消費電力が大きい負荷に対して容易に対応することができる。
【図面の簡単な説明】
【図１】本発明の第１の実施の形態の概略構成図である。
【図２】本発明の第２の実施の形態の概略構成図である。
【図３】本発明の第３の実施の形態の概略構成図である。
【図４】従来の遊技機の概略構成図である。
【符号の説明】
１０、１１０  電源装置
１２、１１２  交流直流変換回路
１３、２２、４３、８２、９２、１１３  平滑用コンデンサ（電力蓄積手段）
２０、１２０  表示制御装置
３０、１３０  表示装置
６０、１６０  賞球制御装置
７０、１７０  賞球装置
８０  主制御装置
９０  副制御装置
９２  ランプ
９３  スピーカ
【図１】
2004188008.tif 000003
【図２】
2004188008.tif 000004
【図３】
2004188008.tif 000005
【図４】
2004188008.tif 000006